【手続補正書】
【提出日】平成22年3月11日(2010.3.11)
【手続補正１】
【補正対象書類名】特許請求の範囲
【補正対象項目名】全文
【補正方法】変更
【補正の内容】
【特許請求の範囲】
【請求項１】
保持コンテンツ情報を保持している一または二以上のコンテンツ保持装置と、送信断片コンテンツ情報を受信するコンテンツ受信装置とを備える情報通信システムを構成するコンテンツ保持装置であって、
一連コンテンツ情報を断片化した情報である断片コンテンツ情報を少なくとも含む保持コンテンツ情報が記憶されるコンテンツ情報記憶部と、
断片コンテンツ情報を送信することを指示する情報である指示情報を受信する指示情報受信部と、
前記保持コンテンツ情報に含まれる断片コンテンツ情報であり、前記指示情報受信部が受信した指示情報で送信することが指示される断片コンテンツ情報である指示断片コンテンツ情報と、当該指示断片コンテンツ情報と同一の保持コンテンツ情報に含まれる断片コンテンツ情報であり、当該指示断片コンテンツ情報とは異なる断片コンテンツ情報である付加断片コンテンツ情報とを含む送信断片コンテンツ情報を構成するコンテンツ情報構成部と、
前記送信断片コンテンツ情報に前記付加断片コンテンツ情報を含ませるかどうかの判断で用いられる情報である判断情報が記憶される判断情報記憶部と、
前記指示情報受信部が前記指示情報を受信した場合に、前記判断情報を用いて、前記送信断片コンテンツ情報に前記付加断片コンテンツ情報を含ませるかどうか判断する判断部と、
前記コンテンツ情報構成部が構成した送信断片コンテンツ情報を送信するコンテンツ情報送信部と、を備え、
前記コンテンツ情報構成部は、
前記送信断片コンテンツ情報に前記付加断片コンテンツ情報を含ませると前記判断部が判断した場合に、当該付加断片コンテンツ情報と指示断片コンテンツ情報とを含む送信断片コンテンツ情報を構成し、
前記送信断片コンテンツ情報に前記付加断片コンテンツ情報を含ませないと前記判断部が判断した場合に、前記指示断片コンテンツ情報である送信断片コンテンツ情報を構成する、
コンテンツ保持装置。
【請求項２】
前記一または二以上のコンテンツ保持装置から前記コンテンツ受信装置に送信される複数の送信断片コンテンツ情報は、少なくとも一の一連コンテンツ情報を構成することができるものであり、
前記一または二以上のコンテンツ保持装置から前記コンテンツ受信装置に送信される複数の送信断片コンテンツ情報の少なくとも一の送信断片コンテンツ情報に含まれる指示断片コンテンツ情報は、前記一または二以上のコンテンツ保持装置から前記コンテンツ受信装置に送信される他の送信断片コンテンツ情報に含まれる付加断片コンテンツ情報によって構成することができる、請求項１記載のコンテンツ保持装置。
【請求項３】
前記一または二以上のコンテンツ保持装置から前記コンテンツ受信装置に送信される各送信断片コンテンツ情報に含まれる指示断片コンテンツ情報は、前記一または二以上のコンテンツ保持装置から前記コンテンツ受信装置に送信される他の送信断片コンテンツ情報に含まれる付加断片コンテンツ情報によって構成することができる、請求項２記載のコンテンツ保持装置。
【請求項４】
前記判断情報は、付加断片コンテンツ情報を指定する情報であり、
前記判断部は、
当該判断情報で指定される付加断片コンテンツ情報が前記コンテンツ保持装置で保持されている保持コンテンツ情報に含まれる場合に、送信断片コンテンツ情報に付加断片コンテンツ情報を含ませると判断し、
当該判断情報で指定される付加断片コンテンツ情報が前記コンテンツ保持装置で保持されている保持コンテンツ情報に含まれない場合に、送信断片コンテンツ情報に付加断片コンテンツ情報を含ませないと判断する、請求項１記載のコンテンツ保持装置。
【請求項５】
前記判断情報は、送信断片コンテンツ情報に付加断片コンテンツ情報を含ませるかどうかを示す情報であり、
前記判断部は、
前記判断情報によって、送信断片コンテンツ情報に付加断片コンテンツ情報を含ませることが示される場合に、送信断片コンテンツ情報に付加断片コンテンツ情報を含ませると判断し、
前記判断情報によって、送信断片コンテンツ情報に付加断片コンテンツ情報を含ませないことが示される場合に、送信断片コンテンツ情報に付加断片コンテンツ情報を含ませないと判断する、請求項１記載のコンテンツ保持装置。
【請求項６】
前記判断情報を変更する旨の情報である変更情報を受け付ける変更情報受付部と、
前記変更情報受付部が受け付けた変更情報に応じて、判断情報を変更する判断情報変更部と、をさらに備えた、請求項４または請求項５記載のコンテンツ保持装置。
【請求項７】
前記一または二以上のコンテンツ保持装置から前記コンテンツ受信装置に送信される各送信断片コンテンツ情報に含まれる各指示断片コンテンツ情報は、同じ大きさであり、
前記指示断片コンテンツ情報と、前記付加断片コンテンツ情報とは、同じ大きさである、請求項１から請求項６のいずれか記載のコンテンツ保持装置。
【請求項８】
前記指示断片コンテンツ情報と、前記付加断片コンテンツ情報とは、一連コンテンツ情報において隣接するデータである、請求項７記載のコンテンツ保持装置。
【請求項９】
前記保持コンテンツ情報は、断片コンテンツ情報である、請求項１から請求項８のいずれか記載のコンテンツ保持装置。
【請求項１０】
前記送信断片コンテンツ情報は、保持コンテンツ情報である、請求項９記載のコンテンツ保持装置。
【請求項１１】
前記保持コンテンツ情報は、一連コンテンツ情報である、請求項１から請求項８のいずれか記載のコンテンツ保持装置。
【請求項１２】
保持コンテンツ情報を保持している一または二以上のコンテンツ保持装置と、送信断片コンテンツ情報を受信するコンテンツ受信装置とを備える情報通信システムを構成するコンテンツ保持装置において処理される情報処理方法であって、
断片コンテンツ情報を送信することを指示する情報である指示情報を受信する指示情報受信ステップと、
前記コンテンツ保持装置において記憶される、一連コンテンツ情報を断片化した情報である断片コンテンツ情報を少なくとも含む保持コンテンツ情報に含まれる断片コンテンツ情報であり、前記指示情報受信ステップで受信した指示情報で送信することが指示される断片コンテンツ情報である指示断片コンテンツ情報と、当該指示断片コンテンツ情報と同一の保持コンテンツ情報に含まれる断片コンテンツ情報であり、当該指示断片コンテンツ情報とは異なる断片コンテンツ情報である付加断片コンテンツ情報とを含む送信断片コンテンツ情報を構成するコンテンツ情報構成ステップと、
前記指示情報受信ステップにおいて指示情報を受信した場合に、前記コンテンツ保持装置において記憶される判断情報を用いて、送信断片コンテンツ情報に付加断片コンテンツ情報を含ませるかどうか判断する判断ステップと、
前記コンテンツ情報構成ステップで構成した送信断片コンテンツ情報を送信するコンテンツ情報送信ステップと、を備え、
前記コンテンツ情報構成ステップでは、
送信断片コンテンツ情報に付加断片コンテンツ情報を含まれると前記判断ステップにおいて判断した場合に、当該付加断片コンテンツ情報と指示断片コンテンツ情報とを含む送信断片コンテンツ情報を構成し、
送信断片コンテンツ情報に付加断片コンテンツ情報を含ませないと前記判断ステップにおいて判断した場合に、前記指示断片コンテンツ情報である送信断片コンテンツ情報を構成する、情報処理方法。
【請求項１３】
コンピュータに、
保持コンテンツ情報を保持している一または二以上のコンテンツ保持装置と、送信断片コンテンツ情報を受信するコンテンツ受信装置とを備える情報通信システムを構成するコンテンツ保持装置における処理を実行させるためのプログラムであって、
断片コンテンツ情報を送信することを指示する情報である指示情報を受信する指示情報受信ステップと、
コンテンツ情報記憶部で記憶される、一連コンテンツ情報を断片化した情報である断片コンテンツ情報を少なくとも含む保持コンテンツ情報に含まれる断片コンテンツ情報であり、前記指示情報受信ステップで受信した指示情報で送信することが指示される断片コンテンツ情報である指示断片コンテンツ情報と、当該指示断片コンテンツ情報と同一の保持コンテンツ情報に含まれる断片コンテンツ情報であり、当該指示断片コンテンツ情報とは異なる断片コンテンツ情報である付加断片コンテンツ情報とを含む送信断片コンテンツ情報を構成するコンテンツ情報構成ステップと、
前記指示情報受信ステップにおいて指示情報を受信した場合に、前記コンテンツ保持装置において記憶される判断情報を用いて、送信断片コンテンツ情報に付加断片コンテンツ情報を含ませるかどうか判断する判断ステップと、
前記コンテンツ情報構成ステップで構成した送信断片コンテンツ情報を送信するコンテンツ情報送信ステップと、を実行させ、
前記コンテンツ情報構成ステップでは、
送信断片コンテンツ情報に付加断片コンテンツ情報を含まれると前記判断ステップにおいて判断した場合に、当該付加断片コンテンツ情報と指示断片コンテンツ情報とを含む送信断片コンテンツ情報を構成し、
送信断片コンテンツ情報に付加断片コンテンツ情報を含ませないと前記判断ステップにおいて判断した場合に、前記指示断片コンテンツ情報である送信断片コンテンツ情報を構成させるためのプログラム。